(57)【要約】【課題】  ＩＦキャリア周波数で従来デフォルト周波数を用いた相関ピーク検出区間（Ｆ0 区間）での相関ピーク検出の確率を高くし、相関ピークの検出を迅速に行うことができる相関ピーク検出方法及び無線受信機を提供する。【解決手段】  ズレ量保持回路１８は、粗周波数ズレ検出部１６からの粗周波数ズレ量の情報及び微周波数ズレ検出部１７からの微周波数ズレ量の情報を入力して記憶し、復調完了した場合に、前回受信復調が為されたときの粗周波数ズレ量の情報及び微周波数ズレ量の情報を復調時周波数ズレ量情報として記憶し、次回間欠受信のときに、Ｆ0 区間に復調時周波数ズレ量情報をキャリアデータ生成部１３に出力し、キャリアデータ生成部１３は復調時周波数ズレ量情報に基づいてキャリアデータを生成する相関ピーク検出方法及び無線受信機である。【選択図】        図１
2008160678.tif 000002
【特許請求の範囲】
【請求項１】
間欠受信の第１の区間と第２の区間に受信した無線信号をキャリア周波数で復調して相関ピークを検出する方法において、
前回受信復調が為されたときの周波数ズレ量の情報を復調時周波数ズレ量情報として記憶しておき、次回間欠受信のときに、前記第１の区間で、前記復調時周波数ズレ量情報に基づいてキャリア周波数を生成し、当該生成したキャリア周波数を用いて相関ピーク検出及び周波数ズレ検出を行うことを特徴とする相関ピーク検出方法。
【請求項２】
周波数ズレ量の情報は、粗周波数ズレ量の情報と微周波数ズレ量の情報から成ることを特徴とする請求項１記載の相関ピーク検出方法。
【請求項３】
周波数ズレ量の情報を仮に記憶しておき、復調完了した場合に、復調時周波数ズレ量情報として記憶することを特徴とする請求項１又は２記載の相関ピーク検出方法。
【請求項４】
無線信号を間欠的に受信し、間欠受信における第１の区間と第２の区間で受信信号から相関ピークを検出する無線受信機であって、
周波数ズレ量の情報に応じてキャリアデータを生成するキャリアデータ生成部と、
前記生成されたキャリアデータに基づいてキャリア復調を行うキャリア復調部と、
前記復調されたキャリアデータの相関ピークを検出する相関ピーク検出部と、
前記復調されたキャリアデータから粗周波数ズレを検出する粗周波数ズレ検出部と、
前記検出された相関ピークから微周波数ズレを検出する微周波数ズレ検出部と、
前記粗周波数ズレ検出部からの粗周波数ズレ量の情報を入力して記憶し、前記微周波数ズレ検出部からの微周波数ズレ量の情報を入力して記憶し、復調完了した場合に、前回受信復調が為されたときの粗周波数ズレ量の情報及び微周波数ズレ量の情報を復調時周波数ズレ量情報として記憶し、次回間欠受信のときに、前記第１の区間に前記復調時周波数ズレ量情報を前記キャリアデータ生成部に出力するズレ量保持回路とを有し、
前記キャリアデータ生成部は、前記相関ピーク検出期間にズレ量保持回路からの前記復調時周波数ズレ量情報に基づいてキャリアデータを生成することを特徴とする受信機。
【請求項５】
ズレ量保持回路は、
粗周波数ズレ量の情報を記憶する第１の記憶部と、
微周波数ズレ量の情報を記憶する第２の記憶部と、
復調時周波数ズレ量情報を記憶する第３の記憶部と、
外部から復調完了の情報が入力されると、前記第１の記憶部及び前記第２の記憶部に記憶されたズレ量の情報を復調時周波数ズレ量情報として前記第３の記憶部に記憶する処理部を有することを特徴とする請求項４記載の受信機。
【発明の詳細な説明】
【技術分野】
【０００１】
本発明は、双方向無線システムにおける無線受信機に係り、特に、相関ピークの検出を迅速に行うことができる相関ピーク検出方法及び無線受信機に関する。
【背景技術】
【０００２】
［双方向無線システム：図３］
従来の双方向無線システムで用いられる無線機は、スペクトラム拡散（ＳＳ：Spread Spectrum）方式を採用した微弱電波で動作する無線機である。
従来の双方向無線システムについて図３を参照しながら説明する。図３は、従来の双方向無線システムの概略図である。
従来の双方向無線システムは、送信部１ａと受信部１ｂを有する親機１の無線機と、送信部２ａと受信部２ｂを有する子機２の無線機とを備え、子機２の入力装置を動作させて、子機２から親機１に動作命令を送信し、親機１ではその命令に従って動作するようになっている。
【０００３】
また、親機１は、命令の伝達状況の応答や親機１の状態情報を子機２に送信するものである。
つまり、従来の双方向無線システムは、ＳＳを採用した双方向通信（半２重）可能な微弱無線システムとなっている。
【０００４】
上記双方向無線システムでは、子機２主導で動作するものであり、親機１は、子機２の送信を間欠受信することにより、子機２からの命令を受信し、子機２は、動作させたいときだけ、動作状態にするため、消費電力を大幅に低減できるものとなっている。
【０００５】
［従来の受信機の構成：図４］
従来の無線受信機について図４を参照しながら説明する。図４は、従来の無線受信機の構成ブロック図である。
従来の無線受信機は、図４に示すように、信号処理部１０と、無線部２０とを基本的に有している。
【０００６】
［従来の信号処理部］
そして、従来の信号処理部１０は、ＡＤＣ制御部１１と、ＡＧＣ部１２と、キャリアデータ生成部１３と、キャリア復調部１４と、相関ピーク検出部１５と、粗周波数ズレ検出部１６と、微周波数ズレ検出部１７とから構成されている。
【０００７】
従来の信号処理部１０の各部について具体的に説明する。
ＡＤＣ制御部１１は、Ａ／Ｄコンバータ（Ａ／Ｄ）への制御信号の生成と、Ａ／Ｄコンバータから受信ＩＦ信号を入力する制御を行う。
【０００８】
ＡＧＣ部１２は、ＡＤＣ制御部１１から出力される受信ＩＦ信号に対して常に設定した振幅になるよう、無線部２０内のＡＧＣアンプへ出力されるゲインコントロール信号を制御する。
【０００９】
キャリア復調部１４は、ＡＤＣ制御部１１から出力された受信ＩＦ信号に対して、ＩＦキャリア成分の除去を行い、更に、ダウンサンプル処理を行う。
【００１０】
キャリアデータ生成部１３は、粗周波数ズレ検出部１６及び微周波数ズレ検出部１７からの周波数ズレ値等に応じて周波数補正処理を行い、受信機のキャリア復調部１４及び送信機のキャリア変調部（図示せず）に供給するキャリアデータを生成する。
【００１１】
相関ピーク検出部１５は、キャリア復調部１４から出力されるキャリア復調データに対して、相関検出処理を行い、相関ピーク検出を行う。
【００１２】
粗周波数ズレ検出部１６は、キャリア復調部１４から出力されたキャリア復調データに対して、親機−子機間のＩＦキャリア周波数ズレ量に応じた残留周波数成分を検出し、周波数ズレ量をキャリアデータ生成部１３に出力する。
【００１３】
微周波数ズレ検出部１７は、ピークが検出された相関データに対して、周波数ズレ量を更に少なくするために、高い精度の周波数検出を行い、微周波数ズレ量をキャリアデータ生成部１３に出力する。
【００１４】
［従来の受信間欠処理：図５］
従来の無線受信機（親機）におけるキャリア周波数ズレ切替の処理について図５を参照しながら説明する。図５は、従来のキャリア周波数ズレ切替のタイミングチャートである。
基本タイミングとして、第１に間欠受信でのキャリア信号がない場合、同期を検出するために、無線信号がオンすると、ＩＦキャリア周波数のデフォルト周波数Ｆ0 で一定期間（Ｆ0＿ＳＹＥＮ信号オンの期間：Ｆ0 区間）、相関ピークの検出を行い、その期間に相関ピークが検出されないと、現在のキャリア周波数Ｆ1 で一定期間（Ｆ1＿ＳＹＥＮ信号オンの期間：Ｆ1 区間）、相関ピークの検出を行う。
Ｆ0 区間及びＦ1 区間は、拡散符号長６４で最小の１６ｍｓとなり、拡散符号長５１２で最大の１２８ｍｓとなる。
【００１５】
具体的には、Ｆ0 区間の開始前に無線部２０からＡ／Ｄ変換器を介してＡＤＣ制御部１１に受信ＩＦ信号（ＡＤＣ＿ＯＵＴ：Ａ／Ｄ出力）が入力され、無線信号オフになるまで受信ＩＦ信号の入力が継続される。
上記受信ＩＦ信号の入力期間内でＡＤＣ制御部１１は、ＡＤＣ制御出力（ＡＤＣ＿ＯＵＴ：ＡＤＣ制御部出力）をキャリア復調部１４に出力する。
【００１６】
ＡＤＣ制御出力の期間の前半部分が、粗周波数ズレ検出の範囲となり、Ｆ0 区間でピーク検出がない場合、Ｆ0 区間終了後に、ＩＦキャリア周波数をＦ1 にセットし、再度、Ｆ1 区間で相関ピークの検出を行う。
ＡＤＣ制御出力の期間の前半部分が、ＩＦキャリア周波数をＦ0 にセットするＦ0 区間で、ＡＤＣ制御出力の期間の後半部分が、ＩＦキャリア周波数をＦ1 にセットするＦ1 区間である。
【００１７】
Ｆ0 区間で、ＩＦキャリア周波数Ｆ0 での検出を行い、規定内に３回ピーク検出した場合、相関ピークが検出されたとして同期検出信号（ＳＹＮＣ＿ＯＵＴ）を出力する。
Ｆ0 区間で相関ピークが検出されなければ、Ｆ1 区間で、現在のＩＦキャリア周波数Ｆ1 での検出を行い、規定内に３回ピーク検出した場合、相関ピークが検出されたとして同期検出信号（ＳＹＮＣ＿ＯＵＴ）を出力する。
以上のようにして、相関ピークが検出されるようになっていた。
【００１８】
尚、関連する先行技術として、特開平０８−２０４５１０号公報（特許文献１）、特開平１０−３１３２８３号公報（特許文献２）、特開２００１−２０１５５１号公報（特許文献３）がある。
【００１９】
特許文献１には、無線システムにおいて、一旦受信復調できた周波数ズレ量情報を算出し、それを基に基準周波数データを更新し、更新された基準周波数データによって生成された基準周波数を用いて復調を行うことが示されている。
特許文献２には、デジタル放送受信機において、位相の乱れを補正し、その補正したデータで逆ＦＦＴ処理を行ってピークを検出し、ＦＦＴ後のデータのシフトを行い、ピーク値の最大値を検出し、この最大値のシフト量を現在のキャリアずれとして検出し、電圧制御発振器を制御することが示されている。
特許文献３には、測位システム用受信装置において、一旦受信復調できた周波数ズレ量の最大値と最小値を保持し、電源立ち上げ時のＰＲＮコードの中心周波数と周波数走査範囲を可変にすることが示されている。
【００２０】
【特許文献１】特開平０８−２０４５１０号
【特許文献２】特開平１０−３１３２８３号
【特許文献３】特開２００１−２０１５５１号公報
【発明の開示】
【発明が解決しようとする課題】
【００２１】
しかしながら、上記従来の無線受信機では、ＩＦキャリア周波数のデフォルト周波数Ｆ0 が、ＩＦ周波数の中心周波数をデフォルトにしているため、この区間（Ｆ0 区間）でＦ0 の周波数で相関ピークが検出される確率が低く、ほとんどの場合、Ｆ1 周波数での相関ピーク検出になってしまい、Ｆ0 区間を有効に利用できないという問題点があった。
【００２２】
本発明は上記実情に鑑みて為されたもので、ＩＦキャリア周波数で従来デフォルト周波数を用いた相関ピーク検出区間（Ｆ0 区間）での相関ピーク検出の確率を高くし、相関ピークの検出を迅速に行うことができる相関ピーク検出方法及び無線受信機を提供することを目的とする。
【課題を解決するための手段】
【００２３】
上記従来例の問題点を解決するための本発明は、間欠受信の第１の区間と第２の区間に受信した無線信号をキャリア周波数で復調して相関ピークを検出する相関ピーク検出方法において、前回受信復調が為されたときの周波数ズレ量の情報を復調時周波数ズレ量情報として記憶しておき、次回間欠受信のときに、第１の区間で、復調時周波数ズレ量情報に基づいてキャリア周波数を生成し、当該生成したキャリア周波数を用いて相関ピーク検出及び周波数ズレ検出を行うことを特徴とする。
【００２４】
本発明は、上記相関ピーク検出方法において、周波数ズレ量の情報は、粗周波数ズレ量の情報と微周波数ズレ量の情報から成ることを特徴とする。
【００２５】
本発明は、上記相関ピーク検出方法において、周波数ズレ量の情報を仮に記憶しておき、復調完了した場合に、復調時周波数ズレ量情報として記憶することを特徴とする。
【００２６】
本発明は、無線信号を間欠的に受信し、間欠受信における第１の区間と第２の区間で受信信号から相関ピークを検出する無線受信機であって、周波数ズレ量の情報に応じてキャリアデータを生成するキャリアデータ生成部と、生成されたキャリアデータに基づいてキャリア復調を行うキャリア復調部と、復調されたキャリアデータの相関ピークを検出する相関ピーク検出部と、復調されたキャリアデータから粗周波数ズレを検出する粗周波数ズレ検出部と、検出された相関ピークから微周波数ズレを検出する微周波数ズレ検出部と、粗周波数ズレ検出部からの粗周波数ズレ量の情報を入力して記憶し、微周波数ズレ検出部からの微周波数ズレ量の情報を入力して記憶し、復調完了した場合に、前回受信復調が為されたときの粗周波数ズレ量の情報及び微周波数ズレ量の情報を復調時周波数ズレ量情報として記憶し、次回間欠受信のときに、第１の区間に復調時周波数ズレ量情報をキャリアデータ生成部に出力するズレ量保持回路とを有し、キャリアデータ生成部は、相関ピーク検出期間にズレ量保持回路からの復調時周波数ズレ量情報に基づいてキャリアデータを生成することを特徴とする。
【００２７】
本発明は、上記受信機において、ズレ量保持回路は、粗周波数ズレ量の情報を記憶する第１の記憶部と、微周波数ズレ量の情報を記憶する第２の記憶部と、復調時周波数ズレ量情報を記憶する第３の記憶部と、外部から復調完了の情報が入力されると、第１の記憶部及び第２の記憶部に記憶されたズレ量の情報を復調時周波数ズレ量情報として第３の記憶部に記憶する処理部を有することを特徴とする。
【発明の効果】
【００２８】
本発明によれば、間欠受信の第１の区間と第２の区間に受信した無線信号をキャリア周波数で復調して相関ピークを検出する方法において、前回受信復調が為されたときの周波数ズレ量の情報を復調時周波数ズレ量情報として記憶しておき、次回間欠受信のときに、第１の区間で、復調時周波数ズレ量情報に基づいてキャリア周波数を生成し、当該生成したキャリア周波数を用いて相関ピーク検出及び周波数ズレ検出を行う相関ピーク検出方法としているので、第１の区間での相関ピーク検出の確率を高くし、相関ピークの検出を迅速に行うことができる効果がある。
【００２９】
本発明によれば、無線信号を間欠的に受信し、間欠受信における第１の区間と第２の区間で受信信号から相関ピークを検出する無線受信機であって、周波数ズレ量の情報に応じてキャリアデータを生成するキャリアデータ生成部と、生成されたキャリアデータに基づいてキャリア復調を行うキャリア復調部と、復調されたキャリアデータの相関ピークを検出する相関ピーク検出部と、復調されたキャリアデータから粗周波数ズレを検出する粗周波数ズレ検出部と、検出された相関ピークから微周波数ズレを検出する微周波数ズレ検出部と、粗周波数ズレ検出部からの粗周波数ズレ量の情報を入力して記憶し、微周波数ズレ検出部からの微周波数ズレ量の情報を入力して記憶し、復調完了した場合に、前回受信復調が為されたときの粗周波数ズレ量の情報及び微周波数ズレ量の情報を復調時周波数ズレ量情報として記憶し、次回間欠受信のときに、第１の区間に復調時周波数ズレ量情報をキャリアデータ生成部に出力するズレ量保持回路とを有し、キャリアデータ生成部は、相関ピーク検出期間にズレ量保持回路からの復調時周波数ズレ量情報に基づいてキャリアデータを生成する受信機としているので、第１の区間での相関ピーク検出の確率を高くし、相関ピークの検出を迅速に行うことができる効果がある。
【発明を実施するための最良の形態】
【００３０】
本発明の実施の形態について図面を参照しながら説明する。
［本発明の概要］
本発明の実施の形態に係る相関ピーク検出方法及び無線受信機は、前回受信復調できた周波数ズレ量の情報を「復調時周波数ズレ量情報」として保持し、次回間欠受信のときに、復調時周波数ズレ量情報に基づきキャリア周波数を生成し、従来のデフォルトの周波数に代えて当該生成したキャリア周波数をＦ0 として、従来、デフォルトの周波数で相関ピークを検出する区間（Ｆ0 区間）で周波数ズレ検出と相関ピーク検出を行うものであり、Ｆ0 区間において、温度・時間の変化が少ない場合、つまり、周波数変動が少ない場合、相関ピークを検出できる可能性が高くなり、相関ピーク検出を迅速に行うことができるものである。
【００３１】
［無線受信機の構成：図１］
本発明の実施の形態に係る無線受信機について図１を参照しながら説明する。図１は、本発明の実施の形態に係る無線受信機の構成ブロック図である。
本発明の実施の形態に係る無線受信機（本受信機）は、図１に示すように、信号処理部１０と、無線部２０とを基本的に有している。
【００３２】
［信号処理部］
そして、信号処理部１０は、ＡＤＣ制御部１１と、ＡＧＣ部１２と、キャリアデータ生成部１３と、キャリア復調部１４と、相関ピーク検出部１５と、粗周波数ズレ検出部１６と、微周波数ズレ検出部１７と、ズレ量保持回路１８と、無線信号制御部１００とから構成されている。
【００３３】
本受信機の信号処理部１０の各部について具体的に説明する。
ＡＤＣ制御部１１は、Ａ／Ｄコンバータ（Ａ／Ｄ）への制御信号の生成と、Ａ／Ｄコンバータから受信ＩＦ信号を入力する制御を行う。
【００３４】
ＡＧＣ部１２は、ＡＤＣ制御部１１から出力される受信ＩＦ信号に対して常に設定した振幅になるよう、無線部２０内のＡＧＣアンプへ出力されるゲインコントロール信号を制御する。
【００３５】
キャリア復調部１４は、ＡＤＣ制御部１１から出力された受信ＩＦ信号に対して、ＩＦキャリア成分の除去を行い、更に、５１２ｋＨｚサンプリング（厳密には、５２４，２８８Ｈｚ）から２５６ｋＨｚ（厳密には、２６２，１４４Ｈｚ）にダウンサンプル処理を行う。
【００３６】
キャリアデータ生成部１３は、ズレ量保持回路１８を介して粗周波数ズレ検出部１６及び微周波数ズレ検出部１７からの周波数ズレ値に応じて周波数補正処理を行い、受信機のキャリア復調部１４及び送信機のキャリア復調部（図示せず）に供給するキャリアデータを生成する。
【００３７】
相関ピーク検出部１５は、キャリア復調部１４から出力されるキャリア復調データに対して、相関検出処理（３２分割相関）を行い、相関ピーク検出を行う。
尚、相関ピークは、３ビット連続で相関ピーク位置が所定範囲内であった時に検出されたものとなる。
【００３８】
粗周波数ズレ検出部１６は、キャリア復調部１４から出力されたキャリア復調データに対して、親機−子機間のＩＦキャリア周波数ズレ量に応じた残留周波数成分の検出周波数ズレ量（粗周波数ズレ量）の情報をズレ量保持回路１８に出力する。
残留周波数成分の検出は、３２ポイントのＦＦＴ演算で行い、検出周波数精度は、１，０２４Ｈｚで、検出精度を上げるために、複数回、例えば最大３２回の検出結果の累積演算を行うものである。
【００３９】
微周波数ズレ検出部１７は、ピークが検出された相関データに対して、周波数ズレ量を更に少なくするために、高い精度の周波数検出をＦＦＴ演算で行い、微周波数ズレ量の情報をズレ量保持回路１８に出力する。
検出処理は、相関ピークが検出されたときの３２分割相関検出処理データを入力し、粗周波数検出部１６と同様に３２ポイントのＦＦＴ演算処理を行う。検出精度は、６４Ｈｚである。
【００４０】
つまり、粗周波数ズレ量補正後のキャリア復調データには、最大±５１２Ｈｚの残留ズレ成分が残っており、ピークが検出されたときの３２分割相関検出データに、その残留ズレ成分が現れる。そのため、ピークが検出されたときの当該相関データ（３２分割分＊Ｉ，Ｑ成分＝６４ポイント）に対してＦＦＴ演算を行うことで、その残留ズレ分の周波数検出を行うことができるものである。
【００４１】
ズレ量保持回路１８は、複数のメモリと処理部とを備えるものである。尚、複数のメモリを一つのメモリとして領域分けして使用するようにしてもよい。
具体的には、ズレ量保持回路１８は、粗周波数ズレ量の情報を仮に記憶する粗周波数ズレ量情報仮記憶部と、微周波数ズレ量の情報を仮に記憶する微周波数ズレ量情報仮記憶部と、前回受信復調できたときの周波数ズレ量の情報を復調時周波数ズレ量情報として記憶する復調時周波数ズレ量情報記憶部とを備えている。
【００４２】
また、処理部は、粗周波数ズレ検出部１６からの粗周波数ズレ量の情報を粗周波数ズレ量情報仮記憶部に仮に記憶すると共に、キャリアデータ生成部１３にその粗周波数ズレ量の情報を出力する。
同様に、処理部は、微周波数ズレ検出部１７からの微周波数ズレ量の情報を微周波数ズレ量情報仮記憶部に仮に記憶すると共に、キャリアデータ生成部１３にその微周波数ズレ量の情報を出力する。
【００４３】
信号処理部１０の後段に設けられた制御部（図示せず）が、相関ピーク検出部１５からの同期検出信号を入力すると、ズレ量保持回路１８に復調完了フラグが出力されるので、ズレ量保持回路１８の処理部は、その復調完了フラグの入力により粗周波数ズレ量情報仮記憶部及び微粗周波数ズレ量情報仮記憶部に仮に記憶された２つのズレ量の情報を復調時周波数ズレ量情報記憶部に記憶（更新）する。
【００４４】
そして、ズレ量保持回路１８における処理部は、間欠受信のＦ0 区間になると、復調時周波数ズレ量情報記憶部から復調時周波数ズレ量情報を読み込み、それをキャリアデータ生成部１３に出力する。ここで、復調時周波数ズレ量情報は、粗周波数ズレ量の情報及び微周波数ズレ量の情報である。
【００４５】
復調時周波数ズレ量情報の入力により、キャリアデータ生成部１３は、Ｆ0 区間に前回受信復調されたキャリア周波数をＦ0 として出力し、周波数ズレ量検出と相関ピーク検出が行われるようになっている。
【００４６】
［受信間欠の処理：図２］
本受信機（親機）におけるキャリア周波数ズレ切替の処理について図２を参照しながら説明する。図２は、本発明の実施の形態に係るキャリア周波数ズレ切替のタイミングチャートである。
基本タイミングとして、第１に間欠受信でのキャリア信号がない場合、同期を検出するために、無線信号がオンすると、ＩＦキャリア周波数の前回受信復調できたときの周波数をＦ0 として一定期間（Ｆ0＿ＳＹＥＮ信号オンの期間：Ｆ0 区間）、相関ピークの検出を行い、その期間に相関ピークが検出されないと、現在のキャリア周波数Ｆ1 で一定期間（Ｆ1＿ＳＹＥＮ信号オンの期間：Ｆ1 区間）、相関ピークの検出を行う。
Ｆ0 区間及びＦ1 区間は、拡散符号長６４で最小の１６ｍｓとなり、拡散符号長５１２で最大の１２８ｍｓとなる。
【００４７】
具体的には、Ｆ0 区間の開始前に無線部２０からＡ／Ｄ変換器を介してＡＤＣ制御部１１に受信ＩＦ信号（ＡＤＣ＿ＯＵＴ：Ａ／Ｄ出力）が入力され、無線信号オフになるまで受信ＩＦ信号の入力が継続される。
上記受信ＩＦ信号の入力期間内でＡＤＣ制御部１１は、ＡＤＣ制御出力（ＡＤＣ＿ＯＵＴ：ＡＤＣ制御部出力）をキャリア復調部１４に出力する。
【００４８】
ＡＤＣ制御出力の期間の前半部分が、粗周波数ズレ検出の範囲となり、Ｆ0 区間でピーク検出がない場合、Ｆ0 区間終了後に、ＩＦキャリア周波数をＦ1 にセットし、再度、Ｆ1 区間で相関ピークの検出を行う。
ＡＤＣ制御出力の期間の前半部分が、ＩＦキャリア周波数をＦ0 にセットするＦ0 区間で、ＡＤＣ制御出力の期間の後半部分が、ＩＦキャリア周波数をＦ1 にセットするＦ1 区間である。
【００４９】
ここで、本発明の実施の形態における特徴として、間欠受信のＦ0 区間において、利用するＩＦキャリア周波数Ｆ0 は、デフォルトの周波数ではなく、前回受信復調できた周波数ズレ量の情報を基にキャリアデータ生成部１３で生成されるものである。
従って、前回受信復調できた周波数Ｆ0 をキャリアデータ生成部１３が出力し、キャリア復調部１４で復調して、相関ピーク検出部１５で相関ピークを検出し、粗周波数ズレ検出部１６と微周波数ズレ検出部１７で周波数ズレ検出を行うものとなる。
【００５０】
Ｆ0 区間で、ＩＦキャリア周波数Ｆ0 での検出を行い、規定内に３回ピーク検出した場合、相関ピークが検出されたとして同期検出信号（ＳＹＮＣ＿ＯＵＴ）を出力する。
Ｆ0 区間で相関ピークが検出されなければ、Ｆ1 区間で、現在のＩＦキャリア周波数Ｆ1 での検出を行い、規定内に３回ピーク検出した場合、相関ピークが検出されたとして同期検出信号（ＳＹＮＣ＿ＯＵＴ）を出力する。
以上のようにして、相関ピークが検出されるようになっていた。
【００５１】
［実施の形態の効果］
本受信機及び相関ピーク検出方法によれば、前回受信復調できた周波数ズレ量の情報を復調時周波数ズレ量情報として保持し、次回間欠受信のときに、復調時周波数ズレ量情報に基づきキャリア周波数を生成し、従来のデフォルトの周波数に代えて当該生成したキャリア周波数をＦ0 として、周波数ズレ検出と相関ピーク検出を行うものであり、Ｆ0 区間において、温度・時間の変化が少ない場合、相関ピークを検出できる可能性が高くなり、相関ピーク検出を迅速に行うことができる効果がある。
【産業上の利用可能性】
【００５２】
本発明は、ＩＦキャリア周波数でデフォルト周波数を従来用いた相関ピーク検出区間（Ｆ0 区間）での相関ピーク検出の確率を高くし、相関ピークの検出を迅速に行うことができる相関ピーク検出方法及び無線受信機に好適である。
【図面の簡単な説明】
【００５３】
【図１】本発明の実施の形態に係る無線受信機の構成ブロック図である。
【図２】本発明の実施の形態に係るキャリア周波数ズレ切替のタイミングチャートである。
【図３】従来の双方向無線システムの概略図である。
【図４】従来の無線受信機の構成ブロック図である。
【図５】従来のキャリア周波数ズレ切替のタイミングチャートである。
【符号の説明】
【００５４】
１０…信号処理部、  １１…ＡＤＣ制御部、  １２…ＡＧＣ部、  １３…キャリアデータ生成部、  １４…キャリア復調部、  １５…相関ピーク検出部、  １６…粗周波数ズレ検出部、  １７…微周波数ズレ検出部、  １８…ズレ量保持回路、  ２０…無線部、  １００…無線信号制御部
【図１】
2008160678.tif 000003
【図２】
2008160678.tif 000004
【図３】
2008160678.tif 000005
【図４】
2008160678.tif 000006
【図５】
2008160678.tif 000007